(57)【要約】      （修正有）【課題】閲覧装置は、文書からリンクを抽出するときに、利用者等にとって有用なリンクを選択して抽出することを可能とする。【解決手段】閲覧装置は、主画面に表示された、１個以上のリンクを含む１個以上の副領域を含む文書から第１のリンクが選択されると、第１のリンクで特定される文書を主画面に表示し、第１のリンクを含む副領域内のリンクを副画面上に表示する主管理手段と、副画面に表示された第２のリンクが選択されると、第２のリンクで特定される文書を主画面に表示する副管理手段を、備える。【選択図】図１
2011186876.tif 000002
【特許請求の範囲】
【請求項１】
主画面に表示された、１個以上のリンクを含む１個以上の副領域を含む文書から第１のリンクが選択されると、前記第１のリンクで特定される文書を前記主画面に表示し、前記第１のリンクを含む副領域内のリンクを副画面上に表示する主管理手段と、
前記副画面に表示された第２のリンクが選択されると、前記第２のリンクで特定される文書を前記主画面に表示する副管理手段を、備える閲覧装置。
【請求項２】
前記文書はＨＴＭＬで記述され、前記副領域はリンクのリスト構造を包含するｄｉｖ要素として抽出される請求項１の閲覧装置。
【請求項３】
前記文書はＨＴＭＬで記述され、前記副領域は副領域を明示的に記述するタグで囲まれた領域として抽出される請求項１の閲覧装置。
【請求項４】
前記主管理手段は、前記副画面において前記第１のリンクを他のリンクと異なる表示方法で表示し、
前記主管理手段は、前記副画面において前記第２のリンク表示を他のリンク表示と異なる表示方法で表示する、請求項１乃至３の何れかの閲覧装置。
【請求項５】
文書を格納する文書格納手段と、ネットワーク経由で前記閲覧装置から前記第１のリンクを受信して、前記第１のリンクで特定される文書を前記文書格納手段から読み出して前記閲覧装置に送信する通信手段を備える文書サーバと、
選択された前記第１のリンクを前記文書サーバに送信して、前記第１のリンクで特定される文書を前記文書サーバから受信する前記主管理手段を備える、請求項１乃至４の何れかの閲覧装置を、包含する閲覧システム。
【請求項６】
コンピュータに、
主画面に表示された、１個以上のリンクを含む１個以上の副領域を含む文書から第１のリンクが選択されると、前記第１のリンクで特定される文書を前記主画面に表示し、前記第１のリンクを含む副領域内のリンクを副画面上に表示する主管理処理と、
前記副画面に表示された第２のリンクが選択されると、前記第２のリンクで特定される文書を前記主画面に表示する副管理処理を、実行させる閲覧プログラム。
【請求項７】
前記文書はＨＴＭＬで記述され、前記副領域はリンクのリスト構造を包含するｄｉｖ要素として抽出される請求項６の閲覧プログラム。
【請求項８】
前記文書はＨＴＭＬで記述され、前記副領域は副領域を明示的に記述するタグで囲まれた領域として抽出される請求項６の閲覧プログラム。
【請求項９】
主画面に表示された、１個以上のリンクを含む１個以上の副領域を含む文書から第１のリンクが選択されると、前記第１のリンクで特定される文書を前記主画面に表示し、前記第１のリンクを含む副領域内のリンクを副画面上に表示し、
前記副画面に表示された第２のリンクが選択されると、前記第２のリンクで特定される文書を前記主画面に表示する閲覧方法。
【請求項１０】
前記文書はＨＴＭＬで記述され、前記副領域はリンクのリスト構造を包含するｄｉｖ要素として抽出される請求項９の閲覧方法。
【発明の詳細な説明】
【技術分野】
【０００１】
本発明は、閲覧装置、閲覧システム、閲覧方法および閲覧プログラムに関する。
【背景技術】
【０００２】
特許文献１は、ＨＴＭＬ(Hyper Text Markup Language)ソースを入力して、ディスプレイ部に表示し、当該ＨＴＭＬソースからリンク表示記述を検出するとリンクボタンをタッチパネル部に表示する移動体端末装置を開示する。
【０００３】
特許文献２は、ホームページをホームページ用ウィンドウに表示し、当該ホームページから抽出したリンク先情報をリンク先用ウィンドウに表示するインターネット端末装置を開示する。
【先行技術文献】
【特許文献】
【０００４】
【特許文献１】特開２００９−９９０５８号公報
【特許文献２】特開２００４−１１０６９８号公報
【発明の概要】
【発明が解決しようとする課題】
【０００５】
閲覧装置は、文書からリンクを抽出するときに、利用者等にとって有用なリンクを選択して抽出することが出来ない。
【０００６】
上記の特許文献１の技術は、利用者にとって有用なリンク表示記述を選択して表示しない。特許文献２も同様である。本発明は、当該課題を解決するための技術を提供することを目的とする。
【課題を解決するための手段】
【０００７】
本発明の一実施形態の閲覧装置は、主画面に表示された、１個以上のリンクを含む１個以上の副領域を含む文書から第１のリンクが選択されると、前記第１のリンクで特定される文書を前記主画面に表示し、前記第１のリンクを含む副領域内のリンクを副画面上に表示する主管理手段と、前記副画面に表示された第２のリンクが選択されると、前記第２のリンクで特定される文書を前記主画面に表示する副管理手段を、備える。
【０００８】
本発明の一実施形態の閲覧プログラムは、コンピュータに、主画面に表示された、１個以上のリンクを含む１個以上の副領域を含む文書から第１のリンクが選択されると、前記第１のリンクで特定される文書を前記主画面に表示し、前記第１のリンクを含む副領域内のリンクを副画面上に表示する主管理処理と、前記副画面に表示された第２のリンクが選択されると、前記第２のリンクで特定される文書を前記主画面に表示する副管理処理を、実行させる。
【０００９】
本発明の一実施形態の閲覧方法は、主画面に表示された、１個以上のリンクを含む１個以上の副領域を含む文書から第１のリンクが選択されると、前記第１のリンクで特定される文書を前記主画面に表示し、前記第１のリンクを含む副領域内のリンクを副画面上に表示し、前記副画面に表示された第２のリンクが選択されると、前記第２のリンクで特定される文書を前記主画面に表示する。
【発明の効果】
【００１０】
本発明は、文書からハイパーリンク（以降、リンク）を抽出するときに、利用者等にとって有用なリンクを選択して抽出することを可能とする。従って、例えば、抽出されたリンクが表示された場合、利用者は、必要なリンクを探してリンク先の文書を参照する負担が軽くなる。
【図面の簡単な説明】
【００１１】
【図１】図１は、本発明の第１の実施の形態に係る閲覧システム１０の構成例を示す。
【図２】図２は文書５０の構造例を示す。
【図３】図３は文書５０の表示例を示す。
【図４】図４は副領域５１の表示例を示す。
【図５】図５はリンク格納部３５が格納するデータを示す。
【図６】図６は主管理部３１の動作フローチャートである。
【図７】図７は副管理部３２の動作フローチャートである。
【図８】図８は統合表示部３８の表示例を示す。
【図９】図９は、第２の実施形態に係る閲覧装置３０の構成を示す。
【発明を実施するための形態】
【００１２】
例えば、図２に示すように、ポータルサイトのＷｅｂページ等は、ニュース提供やショッピング情報提供等のサービス毎の副領域５１（５１ａ乃至５１ｅを代表して、５１とも記す）に分割されている。なお、図２は文書５０の構造例を示す。各副領域５１は、例えば図３の矩形領域４１（４１ａ乃至４１ｅを代表して、４１とも記す）として表示され、各サービスのコンテンツへのリンクを包含する。例えばショッピング情報サービスの矩形領域４１ｃは、各商品詳細情報へのリンクを包含する。
【００１３】
利用者は、利用したいサービスの矩形領域４１に配置された複数のリンクを逐次的に辿ることによって、目的とするサービスのコンテンツを閲覧することになる。例えばニュース提供サービス利用者は、ニュース提供サービスの矩形領域４１ｂのリンクを逐次的に辿って、各ニュースの詳細情報を連続して閲覧して、１日の出来事の概要を知る。
【００１４】
このとき利用者は、ニュース提供サービスの矩形領域４１ｂの”リンクを探してクリックする”、及び、Ｗｅｂブラウザ機能が標準的に包含する、”戻る”という操作を繰り返し行うことが多い。
【００１５】
利用者が利用したいサービスの矩形領域４１に包含されるリンクが、Ｗｅｂページの表示領域と別の表示領域に表示されれば、利用者に便利である。即ち、利用者がＷｅｂページ内に存在する多く情報（多くのリンクを含む）から目的のリンクを選択する、”戻る”という操作をすることが不要となり、利用者の作業は軽減される。
【００１６】
文書５０が副領域５１に分割され、各副領域５１に連続アクセスの可能性が高いリンクが張られている場合等、Ｗｅｂページ以外の電子的な文書５０も同様な状況下にある。本実施形態の閲覧システム１０は、上述のような利用者の作業負担を軽減する。
【００１７】
図１は、本発明の第１の実施の形態に係る閲覧システム１０の構成例を示す。閲覧システム１０は、例えば、ネットワーク１１を介して接続された閲覧装置３０と文書サーバ２０を包含する。利用者は閲覧装置３０を用いて、文書サーバ２０が格納する文書５０を参照する。
【００１８】
文書サーバ２０は、例えばＷＷＷ(World Wide Web)サーバである。閲覧装置３０は、例えばＷｅｂブラウザ機能を備えた携帯端末である。文書５０は、例えばＨＴＭＬで記述されたＷｅｂページである。
【００１９】
閲覧装置３０は、主管理部３１及び副管理部３２を包含する。閲覧装置３０は、リンク抽出部３３、操作部３４、リンク格納部３５、主表示部３６及び副表示部３７を包含していても良い。リンク抽出部３３、操作部３４、リンク格納部３５、主表示部３６及び副表示部３７の全て又は一部は、閲覧装置３０に接続された別装置が備えていても良い。
【００２０】
主表示部３６及び副表示部３７は、各々液晶ディスプレイデバイス、タッチパネル等の表示装置である。操作部３４は、操作ボタン、マウス、タッチパネルのタッチセンサー等の主表示部３６及び副表示部３７上の位置を入力する為の装置である。操作部３４は、文字入力用のキーを包含する。
【００２１】
主管理部３１は、文書サーバ２０から文書５０を受信して、主表示部３６に主画面４０を、副表示部３７に副画面４５を表示する。副管理部３２は、文書サーバ２０から文書５０を受信して、主表示部３６に主画面４０を表示する。リンク抽出部３３は、操作部３４から入力された位置に基づいて、主画面４０及び副画面４５に表示されているリンクの中から、選択されたリンクを特定する。
【００２２】
主管理部３１、副管理部３２及びリンク抽出部３３は、専用のハードウェア装置として実現される。主管理部３１、副管理部３２及びリンク抽出部３３の全て又は一部は、閲覧装置３０の図示されないプロセッサが、閲覧プログラム３９を実行することで実現されても良い。
【００２３】
リンク格納部３５は、文書５０から抽出されたリンクを格納する。リンク格納部３５は、半導体メモリ、ディスク等の記憶装置である。
【００２４】
文書サーバ２０は、通信部２１及び文書格納部２２を包含する。
【００２５】
文書格納部２２は、１以上の文書５０を各々ファイルとして格納する。文書格納部２２は、半導体メモリ、ディスク等の記憶装置である。
【００２６】
通信部２１は、ネットワーク１１を経由して、閲覧装置３０からリンク等の文書５０を特定する為の特定情報を受信し、特定された文書５０を文書格納部２２から読み出して閲覧装置３０に送信する。
【００２７】
通信部２１は、専用のハードウェア装置として実現される。通信部２１は、文書サーバ２０の図示されないプロセッサが、文書プログラム２９を実行することで実現されても良い。
【００２８】
図２は文書５０の構造例を示す。文書５０の構造は、例えばＨＴＭＬで記述される。文書５０は、一個以上の副領域５１（５１ａ乃至５１ｅ等）を包含する。文書５０は、副領域５１以外の領域を含んでいても良い。副領域５１（５１ｂ、５１ｃ等）は、１個以上のリンクを含んでいても良い。リンクは、他の文書５０への参照情報であり、例えばＵＲＬ(Uniform Resource Locator)で記述される。
【００２９】
図３は文書５０の表示例を示す。図３は、主管理部３１又は副管理部３２が図２の文書５０を、主画面４０に表示した例である。主画面４０は、各副領域５１が表示された矩形領域４１を包含する。例えば、矩形領域４１ｂは副領域５１ｂが表示されたものであり、図３に於いて４２で示される行は図２に於いて５２で示されるリンクの表示を含む。更に、矩形領域４１ｃは副領域５１ｃが表示されたものである。
【００３０】
図４は副領域５１の表示例を示す。主画面４０が図３の表示状態にあるときに、閲覧装置３０の利用者が、操作部３４を操作して図３に於いて４２で示される行のリンク（図２に於いて５２で示されるリンク）を選択すると、主管理部３１は当該リンクを含む副領域５１ｂを副画面４５に表示する。同時に、主管理部３１は当該リンクが参照する”hoge.co.jp/shop/10075”の文書５０を主画面４０に表示する。
【００３１】
なお、主管理部３１は副領域５１ｂ全体ではなく、副領域５１ｂに包含されるリンクだけを表示しても良い。
【００３２】
図５はリンク格納部３５が格納するデータを示す。リンク格納部３５は、副領域５１に包含される各リンク（リンク情報６２）と当該リンクを包含する副領域５１の識別子（領域ＩＤ６１）を対応させて記憶する。
【００３３】
図６は主管理部３１の動作フローチャートである。主管理部３１は、文書サーバ２０から文書５０を受信する（Ｓ１）。受信した文書５０は、例えば、図２に示した文書５０である。閲覧装置３０は利用者の指示（ＵＲＬの入力、リンクの選択、等）を受けて、事前に文書サーバ２０に当該文書５０の送信を要求している。
【００３４】
主管理部３１は、受信した当該文書５０から副領域５１及び副領域５１に包含されるリンクを抽出し、各副領域５１の識別子と当該副領域５１に包含されるリンクを対応させて、リンク格納部３５の領域ＩＤ６１とリンク情報６２に格納する（Ｓ２）。
【００３５】
主管理部３１は文書５０からリンクのリスト構造部分を抽出し、当該リスト構造部分を含む１つ上の階層に当たる<div>要素を副領域５１として抽出する（図２の副領域５１ｂまたは副領域５１ｃを参照）。リンクのリスト構造部分は、href属性を有する<ａ>要素をリスト項目（<li>要素）とするリスト（<ul>または<ol>要素）を意味する。
【００３６】
主管理部３１は、例えば<div>要素のid属性値を領域ＩＤ６１に、<ａ>要素のhref属性値をリンク情報６２に格納する。
【００３７】
主管理部３１は、特別に定義されたタグ（<subarea>等）を付与された、リンクのリスト構造部分を包含する要素を、副領域５１として抽出しても良い。
【００３８】
次に、主管理部３１は文書５０を主画面４０に表示する（Ｓ３）。主管理部３１は、例えば図２の文書５０を図３に示すように表示する。ここで、主管理部３１は通常のＷｅｂブラウザとして機能する。
【００３９】
表示後、主管理部３１は、主画面４０に表示されているリンクが選択されるのを待ち合わせる（Ｓ４でＮ）。閲覧装置３０の利用者が操作部３４を用いたクリック操作等により主画面４０に表示されているリンクを選択すると、リンク抽出部３３が選択されたリンクを主管理部３１に通知する。
【００４０】
主画面４０に表示されているリンクが選択されると（Ｓ４でＹ）、主管理部３１はリンク格納部３５のリンク情報６２を検索して、利用者に選択された（リンク抽出部３３から通知された）リンクに対応する領域ＩＤ６１を取得する（Ｓ５）。ここで得られた領域ＩＤ６１は、利用者に選択されたリンクを包含する副領域５１を特定する。
【００４１】
利用者に選択されたリンクに対応する領域ＩＤ６１が取得出来た場合（Ｓ６でＹ）、主管理部３１は、当該領域ＩＤ６１に対応して格納されている全てのリンク情報６２をリンク格納域３５から取得して、副画面４５に表示する（Ｓ７）。
【００４２】
このとき、主管理部３１は、リンク情報６２以外に、当該領域ＩＤ６１の副領域５１に関するその他の情報を表示しても良い。また、主管理部３１は、利用者に選択されたリンクを、他のリンクと異なる表示方法で表示しても良い。異なる表示とは、表示の色が異なる、字体・大きさが異なる、点滅の有無が異なる、等を意味する。
【００４３】
利用者に選択されたリンクに対応する領域ＩＤ６１が取得出来ない場合（Ｓ６でＮ）、主管理部３１は副画面４５に何も出力しない。この場合、選択されたリンクは、何れの副領域５１にも包含されていなかったからである。この場合、主管理部３１は、副画面４５に、どの副領域５１にも含まれていないリンクを出力しても良い。
【００４４】
最後に、主管理部３１は、利用者に選択されたリンクが特定する文書５０の送信要求を、文書サーバ２０に送信し（Ｓ８）、Ｓ１に戻って当該文書５０の受信を行う。利用者に選択されたリンクが特定する文書５０の送信要求は、例えば、利用者に選択されたリンク情報を含むｈｔｔｐ（Hypertext Transfer Protocol）要求等である。
【００４５】
図７は副管理部３２の動作フローチャートである。副管理部３２は、副画面４５に表示されているリンクが選択されるのを待ち合わせる（Ｓ１１でＮ）。閲覧装置３０の利用者が操作部３４を用いて副画面４５に表示されているリンクを選択すると、リンク抽出部３３が選択されたリンクを副管理部３２に通知する。
【００４６】
副画面４５に表示されているリンクが選択されると（Ｓ１１でＹ）、副管理部３２は、利用者に選択されたリンクが特定する文書５０の送信要求を、文書サーバ２０に送信し（Ｓ１２）、図６のＳ１乃至Ｓ３の処理を行い（Ｓ１３）、Ｓ１１に戻る。
【００４７】
なお、主画面４０と副画面４５は各々ウィンドウとして、一台の統合表示部３８に表示しても良い。図８は統合表示部３８の表示例を示す。
【００４８】
本実施形態の閲覧装置３０は、文書５０からリンクを抽出するときに、利用者等にとって有用なリンクを選択して抽出することを可能とする。従って、利用者が文書５０内に存在する多く情報（多くのリンクを含む）から目的のリンクを選択する、或いは”戻る”という操作を繰り返し行うことが不要となり、利用者の作業は軽減される。
【００４９】
また、大量のリンクが副表示部３７に表示され、利用者が副画面４５をスクロールさせて必要なリンクを探す手間を軽減する。これは、閲覧装置３０が携帯端末であり、副表示部３７や統合表示部３８が物理的に小さな場合に効果が大きい。
【００５０】
このような効果を奏する理由は、閲覧装置３０が、文書５０から、利用者が選択したリンクを包含する副領域５１に包含されるリンクを選択して、副画面４５に表示するからである。
【００５１】
本実施形態の閲覧装置３０は、副領域５１に含まれるリンクを逐次辿る操作を容易にする。その理由は、主画面４０に表示されている文書５０のリンクを、他のリンクと異なる表示方法で表示するからである。
【００５２】
本実施形態の閲覧装置３０は、既に存在するＷｅｂページを参照するときにも適用できる。その理由は、主管理部３１が副領域５１を、リスト構造を包含するｄｉｖ要素として抽出するからである。
【００５３】
図９は、第２の実施形態に係る閲覧装置３０の構成を示す。本実施の形態の閲覧装置３０は、主管理部３１と副管理部３２を備える。主管理部３１は、主画面４０に表示された、リンクを含む副領域５１を含む文書５０から第１のリンクが選択されると、第１のリンクで特定される文書５０を主画面４０に表示し、第１のリンクを含む副領域５１内のリンクを副画面４５上に表示する。
【００５４】
副管理部３２は、副画面４５に表示された第２のリンクが選択されると、第２のリンクで特定される文書５０を主画面４０に表示する。
【００５５】
本実施形態の閲覧装置３０は、文書５０からリンクを抽出するときに、利用者等にとって有用なリンクを選択して抽出することを可能とする。その理由は、閲覧装置３０が、文書５０から、利用者が選択したリンクを包含する副領域５１に包含されるリンクを選択して、副画面４５に表示するからである。
【符号の説明】
【００５６】
１０    閲覧システム
１１    ネットワーク
２０    文書サーバ
２１    通信部
２２    文書格納部
２９    文書プログラム
３０    閲覧装置
３１    主管理部
３２    副管理部
３３    リンク抽出部
３４    操作部
３５    リンク格納部
３６    主表示部
３７    副表示部
３８    統合表示部
３９    閲覧プログラム
４０    主画面
４１    矩形領域
４５    副画面
５０    文書
５１    副領域
６１    領域ＩＤ
６２    リンク情報
【図１】
2011186876.tif 000003
【図２】
2011186876.tif 000004
【図３】
2011186876.tif 000005
【図４】
2011186876.tif 000006
【図５】
2011186876.tif 000007
【図６】
2011186876.tif 000008
【図７】
2011186876.tif 000009
【図８】
2011186876.tif 000010
【図９】
2011186876.tif 000011